(57)【要約】【課題】蓄電デバイスおよび所定数の蓄電デバイスから構成される蓄電モジュールにおいて、各電極端子の抵抗の低減化が図れ、端子同士の接合も能率的に処理しえるようにする。【解決手段】所要数の蓄電デバイス１０は、複数の蓄電デバイス群２０に分けられ、各群同数の蓄電デバイス１０が電極端子１３の接合によって直列接続され、複数の蓄電デバイス群２０が並列接続される。各蓄電デバイス１０は、蓄電要素を収装する容器１２の外形が一方向へ相対する２面を含む多角形に形成され、１対の電極端子１３として、前記容器の一方向へ相対する２面の一方と略面一の正極接合面Ｘを持つ正極端子１３ａと、同じく２面の他方と略面一の負極接合面Ｙを持つ負極端子１３ｂと、を備える。【選択図】図３
2011129675.tif 000002
【特許請求の範囲】
【請求項１】
所要数の蓄電デバイスから構成される蓄電モジュールにおいて、所要数の蓄電デバイスは、複数の蓄電デバイス群に分けられ、各群同数の蓄電デバイスが電極端子の接合によって直列接続され、複数の蓄電デバイス群が互いに並列接続され、各蓄電デバイスは、電荷を蓄える蓄電要素と、蓄電要素を収装する容器と、蓄電要素の正極側および負極側に接続される１対の電極端子と、を備え、前記容器の外形が一方向へ相対する２面を含む多角形に形成され、１対の電極端子として、前記容器の一方向へ相対する２面の一方と略面一の正極接合面を持つ正極端子と、同じく２面の他方と略面一の負極接合面を持つ負極端子と、を備える、ことを特徴とする蓄電モジュール。
【請求項２】
前記各群同数の蓄電デバイスは、前記容器の一方向へ並べられ、前記１対の電極端子は、前記容器の一方向へ隣り合う蓄電デバイスの一方の正極端子または負極端子の接合面と、他方の負極端子または正極端子の接合面と、の異極同士が前記容器同士の一方向へ隣接する面を境として鏡面対称に配置され、前記一方向へ並ぶ蓄電デバイスは、前記鏡面対称となる異極同士の接合面の接合によって接続される、ことを特徴とする請求項１に記載の蓄電モジュール。
【請求項３】
前記充放電回路に対して並列接続される複数の蓄電デバイス群の、蓄電デバイス間の同一位置を互いに接続する導電部材を備える、ことを特徴とする請求項１または請求項２に記載の蓄電モジュール。
【請求項４】
所要数の蓄電デバイスから構成される蓄電モジュールにおいて、所要数の蓄電デバイスは、複数の蓄電デバイス群に分けられ、各群同数の蓄電デバイスが電極端子の接合によって直列接続され、複数の蓄電デバイス群が互いに並列接続され、各蓄電デバイスは、電荷を蓄える蓄電要素と、蓄電要素を収装する容器と、蓄電要素の正極側および負極側に接続される１対の電極端子と、を備え、前記容器の外形が一方向へ相対する２面と、前記一方向へ相対する２面と略直交する方向へ相対する２面と、を含む多角形に形成され、１対の電極端子として、前記容器の一方向へ相対する２面の一方と略面一の第１正極接合面を持つ正極端子と、同じく２面の他方と略面一の第１負極接合面を持つ負極端子と、が備えられ、前記正極端子に前記一方向へ相対する２面と略直交する方向へ相対する２面の一方と略面一の第２正極接合面、負極端子に同じく２面と略直交する方向へ相対する２面の他方と略面一の第２負極接合面、がそれぞれ形成される、ことを特徴とする蓄電モジュール。
【請求項５】
各群同数の蓄電デバイスは、前記容器の一方向へ並べられ、複数の蓄電デバイス群は、前記容器の一方向と略直交する方向へ並べられ、前記１対の電極端子は、前記容器の一方向へ隣り合う蓄電デバイスの一方の第１正極接合面または第１負極接合面と、他方の第１負極接合面または第１正極接合面と、の異極同士が前記容器同士の一方向へ隣接する面を境として鏡面対称に配置され、前記一方向へ並ぶ蓄電デバイスは、前記鏡面対称となる異極同士の接合面の接合によって接続され、前記容器の一方向と略直交する方向へ隣り合う蓄電デバイスの一方の第２正極接合面または第２負極接合面と、他方の第２負極接合面または第２正極接合面と、の同極同士が前記容器同士の一方向と略直交する方向へ隣接する面を境として鏡面対称に配置され、前記一方向と略直交する方向へ隣り合う蓄電デバイスは、前記鏡面対称となる同極同士の接合面の接合によって接続される、ことを特徴とする請求項４に記載の蓄電モジュール。
【請求項６】
前記複数の蓄電デバイス群が前記容器の一方向と略直交する方向へ並ぶ両サイドの蓄電デバイス群の、前記容器の一方向へ並ぶ蓄電デバイス間の異極同士の接合部を、相互に接続する導電部材を備える、ことを特徴とする請求項４または請求項５に記載の蓄電モジュール。
【請求項７】
電荷を蓄える蓄電要素と、蓄電要素を収装する容器と、蓄電要素の正極側および負極側に接続される１対の電極端子と、を備える蓄電デバイスにおいて、前記容器の外形が一方向へ相対する２面と、前記一方向へ相対する２面と略直交する方向へ相対する２面と、を含む多角形に形成され、１対の電極端子として、前記容器の一方向へ相対する２面の一方と略面一の第１正極接合面を持つ正極端子と、同じく２面の他方と略面一の第１負極接合面を持つ負極端子と、が備えられ、前記正極端子に前記一方向へ相対する２面と略直交する方向へ相対する２面の一方と略面一の第２正極接合面、前記負極端子に同じく２面と略直交する方向へ相対する２面の他方と略面一の第２負極接合面、がそれぞれ形成されることを特徴とする蓄電デバイス。
【請求項８】
前記１対の電極端子は、複数の前記蓄電デバイスを前記容器の一方向へ並べると、前記容器の一方向へ隣り合う蓄電デバイスの、一方の第１正極接合面と、他方の第１負極接合面と、の異極同士が前記容器同士の一方向へ隣接する面を境として鏡面対称に配置され、複数の前記蓄電デバイスを前記容器の一方向と略直交する方向へ並べると、前記容器の一方向と略直交する方向へ隣り合う蓄電デバイスの、一方の第２正極接合面または第２負極接合面と、他方の負極端子または正極端子の接合面と、の同極同士が前記容器同士の一方向と略直交する方向へ隣接する面を境として鏡面対称に配置される、ことを特徴とする請求項７に記載の蓄電デバイス。
【発明の詳細な説明】
【技術分野】
【０００１】
この発明は、蓄電デバイスおよび所要数の蓄電デバイスから構成される蓄電モジュールに関する。
【背景技術】
【０００２】
充放電サイクル寿命の長い蓄電デバイスとして、電気二重層キャパシタやリチウムイオン電池などが注目される（特許文献１〜特許文献８）。
【０００３】
その一例を図１９に基づいて説明すると、蓄電デバイス１００は、電荷を蓄える蓄電要素１１１（図２１、参照）と、蓄電要素１１１を収容する容器１１２と、を備える。
【０００４】
蓄電要素１１１は、正極体と負極体とこれらの間に介在するセパレータとから角形の積層体に構成される。正極体および負極体は、電荷を蓄える電極層と、電荷の出し入れを行う集電層とからなり、集電層の同極同士が結束され、その結束部に極性の対応する電極端子（正極端子，負極端子）が接合される。
【０００５】
電極端子１１３は、金属板から短尺状に形成され、容器１１２の内部に位置する一端部に集電層の同極同士の結束部が接合され、他端側が容器の外部へストレートに引き出される。容器１１２は、ラミネートフィルム（金属の中間層を含む積層構造の樹脂フィルム）から形成され、蓄電要素１１１を各端子１１３の一部（先端側）が容器の外部へ突き出る収容状態に密封する。
【０００６】
このような蓄電デバイス１００においては、耐電圧が３Ｖ〜５Ｖ程度であり、電気自動車の駆動電源などに適用する場合、所要の蓄電容量および所要の満充電電圧を確保するため、複数の蓄電デバイス１００を並列接続すると共にこれらを数多く直列接続して用いられる。
【０００７】
図２０〜図２２は、所要数の蓄電デバイス１００から構成される蓄電モジュールＭ-０を示すものであり、所要数の蓄電デバイス１００は、複数の蓄電デバイス群１２０に分けられる。各群同数の蓄電デバイス１００は、容器１１２の前後方向（前面１０１と後面１０４との相対方向）へ並べられ、隣り合う蓄電デバイス１００が所定数ずつ電極端子１１３を介して並列接続され、これらの間がバスバー１１４を介して直列接続される。
【０００８】
複数の蓄電デバイス群１２０は、容器１１２の左右方向（右面１０３と左面との相対方向）へ並べられ、蓄電デバイス群間がバズバー１１５およびバスバー１１７を介して直列接続される。各群１２０の最前部に位置する負極端子同士の接合部および正極端子同士の接合部はそれぞれバスバー１１６を介して外部の充放電回路に直列接続される。図中の３次元矢印は、前後と上下と左右との３方向を規定するためのものである。
【０００９】
図２２において、ＲAは蓄電デバイス１００の正極端子１１３ａの抵抗であり、負極端子１１３ｂの抵抗ＲBであり、ＲCはバスバー１１５，１１６の抵抗であり、ＲDはバスバー１１４の抵抗であり、ＲEはバスバー１１７の抵抗である。
【先行技術文献】
【特許文献】
【００１０】
【特許文献１】特開２００３−２７２９７２号
【特許文献２】特開２００６−１０８３８０号
【特許文献３】特開２００３−２７２９６６号
【特許文献４】特許第３８６９１８３号
【特許文献５】特開２００６−３３８９３４号
【特許文献６】特開２００８−２０４９８５号
【特許文献７】特開２００２−３５３０７８号
【特許文献８】特開２００５−１９０８８５号
【発明の概要】
【発明が解決しようとする課題】
【００１１】
このような蓄電モジュールにおいては、電極端子１１３の同極同士が拝み合うように折り曲げられ、これらにバスバー１１４，１１５の一端が重ねられ、溶接を用いて接合される。これらの接合は、２枚の電極端子１３にバスバー１１４，１１５を加える３枚重ねの溶接となる。溶接に伴う高熱から蓄電デバイスの蓄電要素を保護するため、電極端子の引き出される部分（容器から外部へ突き出る端子部分）の長さが大きく取られることもあり、直列経路の抵抗が助長され、充放電時の発熱損（電力ロス）も大きくなってしまう。
【００１２】
この発明は、このような課題を対処するための有効な手段の提供を目的とする。
【課題を解決するための手段】
【００１３】
第１の発明は、所要数の蓄電デバイスから構成される蓄電モジュールにおいて、所要数の蓄電デバイスは、複数の蓄電デバイス群に分けられ、各群同数の蓄電デバイスが電極端子の接合によって直列接続され、複数の蓄電デバイス群が互いに並列接続され、各蓄電デバイスは、電荷を蓄える蓄電要素と、蓄電要素を収装する容器と、蓄電要素の正極側および負極側に接続される１対の電極端子と、を備え、前記容器の外形が一方向へ相対する２面を含む多角形に形成され、１対の電極端子として、前記容器の一方向へ相対する２面の一方と略面一の正極接合面を持つ正極端子と、同じく２面の他方と略面一の負極接合面を持つ負極端子と、を備える、ことを特徴とする。
【００１４】
第２の発明は、第１の発明に係る蓄電モジュールにおいて、前記各群同数の蓄電デバイスは、前記容器の一方向へ並べられ、前記１対の電極端子は、前記容器の一方向へ隣り合う蓄電デバイスの一方の正極端子または負極端子の接合面と、他方の負極端子または正極端子の接合面と、の異極同士が前記容器同士の一方向へ隣接する面を境として鏡面対称に配置され、前記一方向へ並ぶ蓄電デバイスは、前記鏡面対称となる異極同士の接合面の接合によって接続される、ことを特徴とする。
【００１５】
第３の発明は、第１の発明または第２の発明に係る蓄電モジュールにおいて、前記充放電回路に対して並列接続される複数の蓄電デバイス群の、蓄電デバイス間の同一位置を互いに接続する導電部材を備える、ことを特徴とする。
【００１６】
第４の発明は、所要数の蓄電デバイスから構成される蓄電モジュールにおいて、所要数の蓄電デバイスは、複数の蓄電デバイス群に分けられ、各群同数の蓄電デバイスが電極端子の接合によって直列接続され、複数の蓄電デバイス群が互いに並列接続され、各蓄電デバイスは、電荷を蓄える蓄電要素と、蓄電要素を収装する容器と、蓄電要素の正極側および負極側に接続される１対の電極端子と、を備え、前記容器の外形が一方向へ相対する２面と、前記一方向へ相対する２面と略直交する方向へ相対する２面と、を含む多角形に形成され、１対の電極端子として、前記容器の一方向へ相対する２面の一方と略面一の第１正極接合面を持つ正極端子と、同じく２面の他方と略面一の第１負極接合面を持つ負極端子と、が備えられ、前記正極端子に前記一方向へ相対する２面と略直交する方向へ相対する２面の一方と略面一の第２正極接合面、負極端子に同じく２面と略直交する方向へ相対する２面の他方と略面一の第２負極接合面、がそれぞれ形成される、ことを特徴とする。
【００１７】
第５の発明は、第４の発明に係る蓄電モジュールにおいて、各群同数の蓄電デバイスは、前記容器の一方向へ並べられ、複数の蓄電デバイス群は、前記容器の一方向と略直交する方向へ並べられ、前記１対の電極端子は、前記容器の一方向へ隣り合う蓄電デバイスの一方の第１正極接合面または第１負極接合面と、他方の第１負極接合面または第１正極接合面と、の異極同士が前記容器同士の一方向へ隣接する面を境として鏡面対称に配置され、前記一方向へ並ぶ蓄電デバイスは、前記鏡面対称となる異極同士の接合面の接合によって接続され、前記容器の一方向と略直交する方向へ隣り合う蓄電デバイスの一方の第２正極接合面または第２負極接合面と、他方の第２負極接合面または第２正極接合面と、の同極同士が前記容器同士の一方向と略直交する方向へ隣接する面を境として鏡面対称に配置され、前記一方向と略直交する方向へ隣り合う蓄電デバイスは、前記鏡面対称となる同極同士の接合面の接合によって接続される、ことを特徴とする。
【００１８】
第６の発明は、第４の発明または第５の発明に係る蓄電モジュールにおいて、前記複数の蓄電デバイス群が前記容器の一方向と略直交する方向へ並ぶ両サイドの蓄電デバイス群の、前記容器の一方向へ並ぶ蓄電デバイス間の異極同士の接合部を、相互に接続する導電部材を備える、ことを特徴とする。
【００１９】
第７の発明は、電荷を蓄える蓄電要素と、蓄電要素を収装する容器と、蓄電要素の正極側および負極側に接続される１対の電極端子と、を備える蓄電デバイスにおいて、前記容器の外形が一方向へ相対する２面と、前記一方向へ相対する２面と略直交する方向へ相対する２面と、を含む多角形に形成され、１対の電極端子として、前記容器の一方向へ相対する２面の一方と略面一の第１正極接合面を持つ正極端子と、同じく２面の他方と略面一の第１負極接合面を持つ負極端子と、が備えられ、前記正極端子に前記一方向へ相対する２面と略直交する方向へ相対する２面の一方と略面一の第２正極接合面、前記負極端子に同じく２面と略直交する方向へ相対する２面の他方と略面一の第２負極接合面、がそれぞれ形成されることを特徴とする。
【００２０】
第８の発明は、第７の発明に係る蓄電デバイスにおいて、前記１対の電極端子は、複数の前記蓄電デバイスを前記容器の一方向へ並べると、前記容器の一方向へ隣り合う蓄電デバイスの、一方の第１正極接合面と、他方の第１負極接合面と、の異極同士が前記容器同士の一方向へ隣接する面を境として鏡面対称に配置され、複数の前記蓄電デバイスを前記容器の一方向と略直交する方向へ並べると、前記容器の一方向と略直交する方向へ隣り合う蓄電デバイスの、一方の第２正極接合面または第２負極接合面と、他方の負極端子または正極端子の接合面と、の同極同士が前記容器同士の一方向と略直交する方向へ隣接する面を境として鏡面対称に配置される、ことを特徴とする。
【発明の効果】
【００２１】
第１の発明においては、複数の蓄電デバイス群は、互いに並列接続され、各群同数の蓄電デバイスは、電極端子の接合によって直列接続される。各蓄電デバイスは、容器の一方向へ相対する２面の一方と略面一の正極接合面を持つ正極端子と、同じく２面の他方と略面一の負極接合面を持つ負極端子と、を備えるので、容器の一方向へ並べると、その方向へ隣り合う蓄電デバイスの電極端子の異極同士の接合面を簡単に重ね合わせることが可能となり、これら異極同士の接合面を接合することによって各群同数の蓄電デバイスを効率よく直列接続することができる。これら接合は、溶接に拠る場合、金属板（電極端子を形成する）の２枚重ねの溶接となるため、３枚ずつの溶接となる従来の場合に較べると、溶接に伴う蓄電要素への伝熱との関係から、電極端子の外部へ引き出される部分に要求される余分長を大きく取られずに済む。また、２枚重ねの溶接のため、良好な安定した溶接部が得やすくなる。また、電極端子の外部へ引き出される部分が余分長さを大きく取らずに済み、蓄電デバイス間の直列接続にバスバーも要らないので、各群同数の蓄電デバイスを繋ぐ直列経路の短縮が可能となり、充放電時の電力ロス（発熱損）を大幅に低減することができる。
【００２２】
第２の発明においては、各群同数の蓄電デバイスは、容器の２面が相対する一方向へ並べると、その方向へ隣り合う蓄電デバイス間の、一方の正極接合面と、他方の負極接合面と、が容器同士の隣接面を境として鏡面対称となるため、蓄電デバイスを一方向へ並べるのみで異極同士の接合面が重なり合うようになり、これら接合面間を簡単に効率よく接合することができる。
【００２３】
第３の発明においては、互いに並列接続される複数の蓄電デバイス群の、蓄電デバイス間が導電部材を介して同電位となる。同電位間を蓄電デバイス群の列方向へ並ぶ蓄電デバイス同士の電圧が均等化される。つまり、同電位間において、蓄電デバイスの個々の蓄電容量などのばらつきに原因する蓄電デバイスの端子電圧のばらつきが蓄電デバイス群の列方向へ並ぶ複数の蓄電デバイスによって平準化（均等化）されることになる。
【００２４】
第４の発明においては、複数の蓄電デバイス群は、互いに並列接続され、各群同数の蓄電デバイスは、電極端子の接合によって直列接続される。各蓄電デバイスは、容器の一方向およびこれと略直交する方向へ並べられ、容器の一方向へ隣り合う蓄電デバイス間は、第１正極接合面と第１負極接合面との接合によって直列接続される。容器の一方向と略直交する方向へ隣り合う蓄電デバイス間は、第２正極端子同士または第２負極接合面同士の接合によって接続される。これにより、容器の一方向へ２個の蓄電デバイスが直列に接続されるもの（組）が、容器の一方向と直交する方向へ２列となる構成（最小単位回路）の直列接続となり、最小単位回路において、各組の両端電圧が平準化（均等化）されるので、充放電などに伴う蓄電デバイスの端子電圧のばらつきが小さく抑えられる。
【００２５】
最小単位回路は、蓄電デバイス群数および各群の蓄電デバイス数が増えると、容器の一方向およびこれと略直交する方向へ隣り合う４つの最小単位回路の中に各最小単位回路の蓄電デバイスを１個ずつ共有する最小単位回路が出来るため、最小単位回路に働く電圧の均等化（平準化）が最小単位回路の範囲を超えて連鎖するようになる。この連鎖がモジュール全体に及べば、蓄電セル個々の端子電圧を均等化（平準化）することも可能となる。
【００２６】
第１正極接合面と第１負極接合面との接合、第２正極端子同士の接合、第２負極接合面同士の接合、については、溶接に拠る場合、金属板（電極端子を形成する）の２枚重ねの溶接となるので、溶接に伴う蓄電要素への伝熱との関係から、電極端子の外部へ引き出される部分に要求される余分長を大きく取られずに済む。また、２枚重ねの溶接のため、良好な安定した溶接部が得やすくなる。また、電極端子の外部へ引き出される部分の余分長を大きく取らずに済み、蓄電デバイス間の直列接続にバスバーも要らないので、各群同数の蓄電デバイスを繋ぐ直列経路の短縮が可能となり、充放電時の電力ロス（発熱損）を大幅に低減することができる。
【００２７】
第５の発明においては、各蓄電デバイスは、容器の２面が相対する一方向へ並べると、その方向へ隣り合う蓄電デバイス間の、一方の第１正極接合面と、他方の第１負極接合面と、が容器同士の隣接面を境として鏡面対称となり、容器の一方向へ相対する２面と略直交する方向へ並べると、その方向へ隣り合う蓄電デバイス間の、第２正極接合面同士または第２負極接合面同士が容器同士の隣接面を境として鏡面対称となるため、蓄電デバイスを一方向およびこれと略直交する方向へ並べるのみで一方向へ異極同士の接合面およびこれと略直交する方向へ同極同士の接合面がそれぞれ重なり合うようになり、これら各接合面間を簡単に効率よく溶接することができる。
【００２８】
第６の発明においては、導電部材により、蓄電デバイス群の列方向の両サイド間においても、隣り合う４つの最小単位回路の中に各最小単位回路の蓄電デバイスを１個ずつ共有する最小単位回路が出来るようになり、最小単位回路に働く電圧の均等化（平準化）の、最小単位回路の範囲を超える連鎖がさらに促進される。
【００２９】
第７の発明においては、所要数の蓄電デバイスから構成される蓄電モジュールを想定すると、第４の発明と同一の作用効果が得られる。また、電極端子の容器から外部へ引き出される部分の長さ（蓄電デバイスの高さ寸法）が短くなるので、蓄電デバイスの占有体積が小さくなり、単位体積あたりの蓄電容量も大きくなる。
【００３０】
第８の発明においては、所要数の蓄電デバイスから構成される蓄電モジュールを想定すると、第５の発明と同一の作用効果が得られる。
【図面の簡単な説明】
【００３１】
【図１】この発明の第１実施形態に係る蓄電デバイスの外観斜視図である。
【図２】同じく蓄電デバイスの断面図である。
【図３】同じく蓄電モジュールの外観斜視図である。
【図４】同じく蓄電モジュールの構成を説明するものであり、(a)は平面図であり、(b)は側面図であり、(c)はｘ−ｘ断面図である。
【図５】同じく蓄電モジュールの回路構成図である。
【図６】この発明の第２実施形態に係る蓄電デバイスの外観斜視図である。
【図７】同じく蓄電デバイスの構成説明図である。
【図８】同じく蓄電モジュールの外観斜視図である。
【図９】同じく蓄電モジュールの回路構成図である。
【図１０】同じく第２実施形態に係る変形例を示す蓄電モジュールの外観斜視図である。
【図１１】同じく蓄電モジュールの回路構成図である。
【図１２】同じく別の変形例を示す蓄電モジュールの外観斜視図である。
【図１３】同じく別の変形例を示す蓄電モジュールの外観斜視図である。
【図１４】同じく蓄電モジュールの回路構成図である。
【図１５】同じく別の変形例を示す蓄電モジュールの外観斜視図である。
【図１６】同じく蓄電モジュールの回路構成図である。
【図１７】同じく別の変形例を示す蓄電モジュールの外観斜視図である。
【図１８】同じく別の変形例を示す蓄電モジュールの外観斜視図である。
【図１９】従来例を示す蓄電デバイスの外観斜視図である。
【図２０】同じく蓄電モジュールの外観斜視図である。
【図２１】同じく蓄電モジュールの構成を説明するものであり、(a)は平面図であり、(b)は側面図であり、(c)はｘ−ｘ断面図である。
【図２２】同じく蓄電モジュールの回路構成図である。
【発明を実施するための形態】
【００３２】
図に基づいて、この発明に基づく実施形態を説明する。なお、図の随所に前後と上下と左右との３方向を規定する３次元矢印を添えておく。
【００３３】
図１〜図５は、第１実施形態を示すものである。図１，図２において、蓄電デバイス１０は、電気二重層キャパシタである。電気二重層キャパシタ１０は、電荷を蓄える蓄電要素１１と、蓄電要素１１を収容する容器１２と、蓄電要素の電荷の出し入れを行う１対の電極端子１３と、を備える。
【００３４】
蓄電要素１１は、正極体と負極体とこれらの間に介在するセパレータとから角形の積層体に構成される。正極体および負極体は、電荷を蓄える電極層（分極性電極）と、電荷の出し入れを行う集電層（集電極）とからなり、集電層の同極同士のリード１４が結束され、その結束部に極性の対応する電極端子１３が接続される。
【００３５】
容器１２は、蓄電要素１１の外形に合わせて角形（直方体）に形成され、その内部に蓄電要素１１を電解液と共に収容する室が設けられる。１対の電極端子１３として、容器１２の互いに相対する２面の一方と略面一に連なる正極接合面Ｘをもつ端子１３ａ（正極端子）と、同じく２面の他方と略面一に連なる負極接合面Ｙをもつ端子１３ｂ（負極端子）と、が備えられる。
【００３６】
各電極端子１３は、金属板から短尺状に形成され、容器１２の内部（室）に位置する一端部に集電層の同極同士のリード１４の結束部が溶接などによって接合され、容器１２の外部に突き出る他端側が接合面Ｘ，Ｙを構成するのである。
【００３７】
容器１２の互いに相対する２面については、この場合、容器１２が直方体のため、前面１と後面４（図２、参照）との２面、左面と右面３との２面、上面２と下面との２面、となるが、電極端子１３が上方へ突き出るので、上面２と下面との２面を除く、前面１と後面４との２面、左面と右面３との２面、の何れかに選定される。
【００３８】
この例においては、後述の蓄電モジュールＭ-１における蓄電デバイス１０の配列方向との関係から前面１と後面４との２面が選定され、負極端子１３ｂは、容器１２の前面１の一辺（上辺）の左面側へ寄る位置から容器１２の上方へストレートに引き出され、容器１２の前面１と略面一の負極接合面Ｙを形成する一方、正極端子１３ａは、容器１２の後面４の一辺（上辺）の右面３側へ寄る位置から容器１２の上方へストレートに引き出され、容器１２の後面と略面一の正極接合面Ｘを形成する。
【００３９】
容器１２は、この場合、枠体６と１対の膜体７とから構成される。枠体６は、樹脂（熱溶着性および電気絶縁性もつ）から角形の蓄電要素の外形に合わせて四角形に形成される。枠体６は、上辺部と下辺部と右辺部と左辺部とからなり、これらに囲まれる空間が前後に開口される。膜体７は、ラミネートフィルムから枠体の前後面と略同形同大のシート状に形成される。ラミネートフィルムは、複数の樹脂層と金属の中間層とから積層構造のものが用いられ、枠体６の開口に面する側の表層が熱溶着性もつ電気絶縁材質の樹脂から形成される。
【００４０】
電極端子１３は、枠体６の内側に突き出る一端部と、枠体６の外側に突き出る他端部と、枠体６の一辺部に接着される中間部と、からなり、ヒートシール処理により、枠体６と膜体７との間（熱溶着樹脂中）に中間部を介して組み付けられる。
【００４１】
ヒートシール処理においては、枠体６の一辺部、この場合、上辺部の前面１に一方の電極端子１３の中間部が重ねられ、その上に膜体７が被せられ、ヒートシーラにより、枠体６の前面１側から膜体７の周囲（周縁部）が加圧と共に加熱される。また、上辺部の後面４に他方の電極端子１３の中間部が重ねられ、その上に膜体７が被せられ、ヒートシーラにより、枠体の後面４側から膜体７の周囲（周縁部）が加圧と共に加熱される。
【００４２】
ヒートシーラによる加熱および加圧を受けて膜板７の熱溶着性樹脂および枠体６の熱溶着性樹脂が溶融し、放熱後に凝固する樹脂によって膜体７と枠体６との間が隙間なく封止される。また、各端子１３の中間部も凝固した樹脂に包み込まれ、その周囲が隙間なく封止される。電解液の注入については、ヒートシール処理において、未処理（非熱溶着）部分が残され、電解液はその未処理部分から容器の内部へ充填される。未処理部分は、電解液の注入後にヒートシール処理によって封止される。
【００４３】
このような工程により、容器１２の互いに相対する２面の一方と略面一の正極接合面Ｘをもつ端子１３ａと、同じく他方の略面一の負極接合面Ｙをもつ端子１３ｂと、を備える電気二重層キャパシタ１０（蓄電デバイス）を簡単かつ容易に効率よく製造することができる。電気二重層キャパシタ１０は、容器１２の内圧を所定レベル以下に抑えるガス抜きバルブ（図示せず）が備えられる。
【００４４】
図３〜図５は、蓄電モジュールＭ-１を示すものであり、所要数の蓄電デバイス１０（蓄電セル）から組み立てられる。所要数の蓄電セル１０は、複数の蓄電デバイス群２０に分けられる。各群２０の蓄電デバイス数は、同数とする。
【００４５】
各群同数の蓄電セル１０は、容器１２の前後方向（容器１２の前面１と後面４との相対方向）へ並べられ、隣り合う蓄電セル間が互いに異極同士の電極端子１３を接合することによって直列接続される。隣り合う蓄電セル間において、一方の蓄電セル１０の正極接合面Ｘと、他方の蓄電セル１０の負極接合面Ｙと、は容器同士の隣接面を境として鏡面対称に配置される。
【００４６】
この場合、蓄電セル１０は、負極端子１３ｂが前面１の一辺（上辺）の左面側へ寄る位置から容器１２の上方へストレートに引き出され、正極端子１３ａが容器１２の後面４の一辺（上辺）の右面３側へ寄る位置から容器１３の上方へストレートに引き出されるため、電極端子１３の配置が異なる２種類のものＡ，Ｂが用いられる。
【００４７】
蓄電デバイスＡの電極端子１３は、図１と同一に配置される。蓄電デバイスＢの電極端子は、正極端子１３ａが、前面１の一辺（上辺）の右面３側へ寄る位置から容器１２の上方へストレートに引き出され、容器１２の前面１と略面一の正極接合面Ｘを形成する一方、負極端子１３ｂが、容器１２の後面の一辺（上辺）の左面側へ寄る位置から容器１２の上方へストレートに引き出され、容器１２の後面と略面一の負極接合面Ｙを形成する。
【００４８】
各群２０の蓄電セル１０は、容器１２の前後方向へＡ-Ｂ-Ａ-Ｂ-Ａ-Ｂに並べられる。Ａ-Ｂ間において、Ａの正極接合面Ｘと、Ｂの負極接合面Ｙと、が容器同士の隣接面（Ａの容器１２の後面４とＢの容器１２の前面１との重なり合う面）を境として鏡面対称となり、これらが溶接によって接合される。Ｂ-Ａ間において、Ｂの正極接合面Ｘと、Ａの負極接合面Ｙと、容器同士の隣接面（Ｂの容器１２の後面４とＡの容器１２の前面１が重なり合う面）を境として鏡面対称となり、これらが溶接によって接合される。
【００４９】
複数の蓄電デバイス群２０は、容器１２の前後方向と直交する方向（容器１２の右面３と左面との相対方向）へ並べられる。各群２０の列の両端に位置する蓄電セル１０の電極端子１３の同極同士がバスバー２１を介して接続される。バスバー２１が蓄電モジュールＭ-１の外部端子となる場合、これらバスバー２１に外部の充放電回路（図示せず）が接続される。つまり、複数の蓄電デバイス群２０は、外部の充放電回路に対し、互いに並列接続される関係になる。充放電回路は、Ｍ-１から負荷への電力の供給経路および充電源からＭ-１への電力の供給経路を構成するものである。
【００５０】
蓄電モジュールＭ-１は、蓄電デバイス群同士の、蓄電セル間の同一位置を接続する導電部材２２が備えられる。導電部材２２は、蓄電デバイス群間を容器１２の左右方向（容器１２の左面と右面３との相対方向）へ延ばされ、図示の場合（Ｍ-１が２列の蓄電デバイス群２０から構成される）、導電部材２２の両端は、各Ａ-Ｂ間の接合部および各Ｂ-Ａ間の接合部にリベット２３によって結合（接続）される。
【００５１】
Ｍ-１において、複数の蓄電デバイス群２０は、外部の充放電回路に対して並列接続され、各群同数の蓄電デバイス１０は、電極端子１３の接合によって直列接続される。各蓄電セル１０は、容器１２の一方向へ相対する２面の一方と略面一の正極接合面Ｘを持つ端子１３ａと、同じく２面の他方と略面一の負極接合面Ｙを持つ端子１３ｂと、を備えるので、容器１２の一方向へ並べると、その方向へ隣り合う蓄電セル１０の電極端子１３の、一方の正極接合面Ｘと、他方の負極接合面Ｙと、が容器同士の隣接面を境として鏡面対称となるため、蓄電デバイス１０を一方向へ並べるのみで異極同士の接合面Ｘ，Ｙが重なり合うようになり、これら接合面間を簡単に効率よく接合することができる。
【００５２】
これら接合は、溶接（例えば、スポット溶接）に拠る場合、金属板（電極端子１３を形成する）の２枚重ねの溶接となり、バスバー２１と電極端子１３との接合についても、２枚重ねの溶接となるため、３枚ずつの溶接となる従来の場合に較べると、溶接に伴う蓄電デバイス１０の蓄電要素１１への伝熱との関係から、電極端子１３の外部へ引き出される部分に要求される余分長を大きく取られずに済む。また、２枚重ねの溶接により、良好な安定した溶接部が得やすくなる。また、電極端子１３の外部へ引き出される部分に要求される余分長を大きく取られずに済み、蓄電セル間を直列接続するバスバー（図２０，図２１の１１４）も要らないため、各群同数の蓄電セル１０を繋ぐ直列経路が効率よく短縮され、充放電時の電力ロス（発熱損）を大幅に低減することができる。
【００５３】
図５は、蓄電モジュールＭ-１の回路構成を示すものである。図５において、Ｒ’は蓄電デバイス１０の電極端子１３の抵抗であり、ＲEはバスバー２１の抵抗であり、ＲFは導電部材２２の抵抗であり、複数の蓄電デバイス群２０の、蓄電デバイス間が導電部材２２を介して同電位となる。この例においては、各群２０のＡ-Ｂ間の接合部同士およびＢ-Ａ間の接合部同士が導電部材２２を介して接続されるため、群２０の列方向へ並ぶＡ−Ａ間の端子電圧のばらつきおよびＢ−Ｂ間の端子電圧のばらつきが平準化（均等化）される。蓄電デバイス１０は、蓄電容量などに多少のばらつきがあり、充放電に伴って蓄電セル１０の端子電圧にばらつきが生じるようになるが、群２０の列方向（容器１２の左右方向）へ並ぶＡ−Ａ間の端子電圧のばらつきおよびＢ−Ｂ間の端子電圧のばらつきが平準化（均等化）されるので、充放電などに伴う蓄電セル１０の端子電圧のばらつきが小さく抑えられるのである。その結果、蓄電デバイス１０の蓄電容量などのばらつきを考慮して蓄電モジュールＭ-１の満充電時の電圧（制限電圧）を低める割合が小さく見込めるため、Ｍ-１の制限電圧を高めに設定することが可能となる。
【００５４】
導電部材２２は、両端の接続点に電位差が生じると、電位の高い方から低い方へ電流が流れるが、両端の接続点の電位が同一であれば、電流は流れることがなく、両端の電位差によって流れる電流も極く小さいため、ＲFを入れずに蓄電デバイスの内部抵抗ＲXを除く合成抵抗Ｒ１を計算すると、Ｒ１＝６・Ｒ’＋（ＲE／２）となる。
【００５５】
図２２に示す従来の蓄電モジュールＭ-０の回路構成においては、合成抵抗Ｒ０は、蓄電デバイス１００の正極端子１１３ａの抵抗ＲAと負極端子１１３ｂの抵抗ＲBが同一（ＲA＝ＲB）として計算すると、Ｒ０＝６・ＲA＋４・ＲC＋４ＲD＋ＲEとなる。
【００５６】
本願の合成抵抗Ｒ１を従来の合成抵抗Ｒ０と比較すると、本願の電極端子の抵抗Ｒ’は、従来の電極端子１１３の抵抗よりも小さく、かつ、従来のバスバー１１４〜１１６の抵抗（４・ＲC＋４ＲD）が不要となる。また、本願のバスバーの抵抗ＲEは、バスバー２１が電極端子１３の同極同士を接続（連結）する構成のため、抵抗ＲEは１／２となるのに対し、従来のバスバー１１７の抵抗ＲEは、異極同士のバスバ１１５ーを連結（接続）する構成のため、抵抗ＲEは１／２とならない。これらの結果、本願の合成抵抗Ｒ１は、従来の合成抵抗Ｒ０よりも、大幅に低減できることになる。
【００５７】
蓄電デバイス１０が出力密度の高い電気二重層キャパシタにおいては、合成抵抗Ｒ１の大幅な低減により、充放電に伴う電力ロスおよび充放電に伴う発熱量の低減にもたらす効果が大きい。
【００５８】
従来の蓄電デバイス１００の場合、電極端子１１３の容器１１２から突き出る部分は、容器１１２の上面中央から略垂直に突き出る部分の長さ、容器の前後方向と略平行に延びる部分の長さ、電極端子間の接合面を形成する部分の長さ、の和になるのに対し、本願の蓄電デバイス１０の場合、電極端子１３の容器１２から突き出る部分は、概ね電極端子１３の接合面Ｘ，Ｙを形成する部分の長さのみで済むため、蓄電デバイスおよび蓄電モジュールの高さ寸法についても、従来の場合、Ｈ（図２１、参照）なのに対し、本願の場合、Ｈ’（図４、参照）と低められる。そのため、本願の場合、蓄電デバイス１０の占有体積が小さくなり、従来と較べると、蓄電モジュールＭ-１の単位体積あたりの蓄電容量も向上する。
【００５９】
導電部材２２については、抵抗の許容範囲において、配線が簡便な、小径断面の電線が使用されるが、もちろん、抵抗が小さいバスバーを用いてもよい。
【００６０】
図１〜図５においては、蓄電デバイス１０として電極端子１３の配置が異なる２種類のものが用いられるが、１対の電極端子１３の接合面（正極接合面Ｘと負極接合面Ｙ）が容器１２の左右方向の中央において、容器１２の前後方向へ対向する配置に設定すると、１種類の蓄電デバイスから、図３〜図５と同一容量の蓄電モジュールを構成することが可能となる。
【００６１】
図６〜図１８は、第２実施形態を示すものである。図６，図７において、蓄電デバイス５０は、電気二重層キャパシタである。電気二重層キャパシタは、電荷を蓄える蓄電要素５１と、蓄電要素５１を収容する容器５２と、蓄電要素５１の電荷の出し入れを行う１対の電極端子５３と、を備える。
【００６２】
蓄電要素５１は、正極体と負極体とこれらの間に介在するセパレータとから角形の積層体に構成される。正極体および負極体は、電荷を蓄える電極層（分極性電極）と、電荷の出し入れを行う集電層（集電極）とからなり、集電層の同極同士のリードが結束され、その結束部に極性の対応する電極端子５３が接続される。
【００６３】
容器５２は、蓄電要素５２の外形に合わせて角形（直方体）に形成され、その内部に蓄電要素５２を電解液と共に収容する室が設けられる。１対の電極端子５３として、容器１２の互いに相対する２面の一方と略面一に連なる第１正極接合面Ｘ-１をもつ端子（正極端子５３ａ）と、同じく２面の他方と略面一に連なる第１負極接合面Ｙ-１をもつ端子（負極端子５３ｂ）と、が備えられる。
【００６４】
各端子５３は、金属板から形成され、容器５２の内部（室）に位置する一端部に集電層の同極同士のリードの結束部が溶接などによって接合され、容器５２の外部に突き出る他端側が第１接正極合面Ｘ-１または第１負極正極面Ｙ-１を構成するのである。
【００６５】
容器５２の一方向へ相対する２面と略直交する方向へ相対する２面の一方と略面一の第２正極接合面Ｘ-２が端子５３ａの外部へ突き出る他端側に設けられ、負極端子５３ｂに同じく２面と略直交する方向へ相対する２面の他方と略面一の第２負極接合面Ｙ-２が端子５３ｂの外部へ突き出る他端側に設けられる。
【００６６】
容器５２の互いに相対する２面およびこれと略直交する方向へ相対する２面については、この場合、容器５２が直方体のため、前面１と後面との２面が一方向へ相対する２面となり、左面と右面３との２面が一方向と略直交する２面となる。
【００６７】
この例においては、負極端子５３ｂは容器５２の前面１の一辺（上辺）の左面側の端部から容器５２の上方へ突出され、容器５２の前面１と略面一の第１負極接合面Ｙ-１を形成する一方、正極端子５３ａは、容器５２の後面の一辺（上辺）の右面３側の端部から容器５２の上方へ突出され、容器５２の後面と略面一の第１正極接合面Ｘ-１を形成する。負極端子５３ｂの一部が容器５２の左面の一辺（上辺）の前面１側の端部から容器５２の上方へ突出され、容器５２の左面と略面一の第２負極接合面Ｙ-２を形成する一方、正極端子５３ａの一部が右面３の一辺（上辺）の後面側の端部から容器５２の上方へ突出され、容器５２の右面３と略面一の第２負極接合面Ｘ-２を形成する。
【００６８】
容器５２は、角形の蓄電要素５１の外形に合わせて形成される箱部５７と、箱部５７の開口する上面を封止する蓋部５８と、からなり、これらは樹脂（熱溶着性および電気絶縁性もつ）から成形される。
【００６９】
電極端子５３は、蓋部５８の内面から突き出る一端部と、蓋部５８の外面から突き出る他端部と、蓋部５８に埋設される中間部と、からなり、蓋部５８と共にインサート成形される。各端子５３の蓋部５８の内面から突き出る一端部に蓄電要素５１の同極同士のリード５９の結束部が溶接などによって接合され、蓋部５８が蓄電要素５１を箱部５７の上面（開口）からその内側へ納めて箱部５８の開口（上面）部に嵌め付けられ、蓋部５８と箱部５７との嵌合部がヒートシール処理により熱溶着されるのである。
【００７０】
ヒートシーラによる加熱および加圧を受けて箱部５７の熱溶着性樹脂および蓋部５８の熱溶着性樹脂が溶融し、放熱後に凝固する樹脂によって箱部５７と蓋部５８との嵌合部が隙間なく封止される。容器５２に電解液の注入口が予め形成され、注入口は、電解液の注入後にシール材などによって封止される。
【００７１】
このような工程により、１対の電極端子として、第１正極接合面Ｘ-１および第２正極接合面Ｘ-２を持つ端子５２ｂと、第１負極接合面Ｙ-１および第２負極接合面Ｙ-２を持つ端子５３ｂと、を備える電気二重層キャパシタ５０（蓄電デバイス）を簡単かつ容易に効率よく製造することができる。電気二重層キャパシタ５０は、容器の内圧を所定レベル以下に抑えるガス抜きバルブ（図示せず）が備えられる。
【００７２】
図８，図９は、蓄電モジュールＭ-２を示すものであり、所要数の蓄電デバイス５０（蓄電セル）から組み立てられる。所要数の蓄電セル５０は、複数の蓄電デバイス群６０に分けられる。各群６０の蓄電セル数は、同数とする。
【００７３】
所要数の蓄電セル５０は、容器５２の２面が相対する一方向（容器５２の前面１と後面との相対方向）およびこれと略直交する方向（容器５２の左面と右面３との相対方向）へ並べられ、容器５２の前後方向へ隣り合う蓄電セル間は、第１正極接合面Ｘ-１と第１負極接合面Ｙ-１との接合によって直列接続される。容器５２の左右方向へ隣り合う蓄電セル間は、第２正極端子Ｘ-２同士または第２負極接合面Ｙ-２同士の接合によって接続される。
【００７４】
容器５２の一方向（前後方向）へ隣り合う蓄電セル間において、一方の蓄電デバイス５０の第１正極接合面Ｘ-１と、他方の蓄電デバイス５０の第１負極接合面Ｙ-１と、の異極同士の接合面は、容器同士の隣接面（後面と前面１との重なり合う面または前面１と後面との重なり合う面）を境として鏡面対称に配置される。容器５２の前後方向と略直交する方向（容器の左右方向）へ隣り合う蓄電デバイス間において、一方の蓄電デバイス５０の第２正極接合面Ｘ-２または第２負極接合面Ｙ-２と、他方の蓄電デバイス５０の第２正極接合面Ｘ-２または第２負極接合面Ｙ-２と、の同極同士の接合面は、容器同士の隣接面（左面と右面３との重なり合う面または右面３と左面との重なり合う面）を境として鏡面対称に配置される。
【００７５】
この場合、蓄電デバイス５０は、負極端子５３ｂと正極端子５３ａが容器５２の上面（四角形）の互いに向かい合う角部（対角部）に配置されるため、電極端子５３の配置が異なる２種類のものが用いられる。蓄電デバイスＡの電極端子は、図６，図７と同一に配置される。蓄電デバイスＢの電極端子５３は、蓄電デバイスＡの電極端子５３と異なる対角部に配置される。これら蓄電セル５０は、容器５２の前後方向および左右方向へそれぞれ交互に並べられる。
【００７６】
この例においては、２列の蓄電デバイス群６０の右側は、蓄電セル５０が容器５２の前後方向へＡ-Ｂ-Ａ-Ｂ-Ａ-Ｂに並べられ、２列の蓄電デバイス群の左側は、蓄電セル５０が容器５２の前後方向へＢ-Ａ-Ｂ-Ａ-Ｂ-Ａに並べられる。
【００７７】
容器５２の前後方向へ隣り合うＡ-Ｂ間において、Ａの第１正極接合面Ｘ-１と、Ｂの第１負極接合面Ｙ-１と、が容器同士の隣接面（Ａの容器５２の後面とＢの容器５２の前面との重なり合う面）を境として鏡面対称となり、これらが溶接によって接合される。容器５２の前後方向へ隣り合うＢ-Ａ間において、Ｂの第１正極接合面Ｘ-１と、Ａの第１負極接合面Ｙ-１と、が容器同士の隣接面（Ｂの容器５２の後面とＡの容器５２の前面が重なり合う面）を境として鏡面対称となり、これらが溶接によって接合される。
【００７８】
容器５２の左右方向へ隣り合うＡ-Ｂ間において、Ａの第２負極接合面Ｙ-２と、Ｂの第２負極接合面Ｙ-２と、が容器同士の隣接面（Ａの容器の左面とＢの容器の右面３との重なり合う面）を境として鏡面対称となり、これらが溶接によって接合される。容器５２の左右方向へ隣り合うＢ-Ａ間において、Ｂの第２正極接合面Ｘ-２と、Ａの第２正極接合面Ｘ-２と、が容器同士の隣接面（Ｂの容器の左面とＡの容器の右面３が重なり合う面）を境として鏡面対称となり、これらが溶接によって接合される。
【００７９】
容器５２の前後方向へ並ぶ蓄電セル５０の列の最前部を左右方向へ並ぶＡ-Ｂ間は、電極端子５３の第２負極接合面Ｙ-２同士の接合となり、容器５２の前後方向へ並ぶ蓄電セル５０の列の最後部を左右方向へ並ぶＢ-Ａ間は、電極端子５３の第２正極接合面Ｘ-２同士の接合となる。これら同極同士の接合部が蓄電モジュールＭ-２の外部端子となる場合、これら同極同士の接合部に外部の充放電回路（図示せず）が接続される  つまり、複数の蓄電デバイス群６０は、外部の充放電回路に対し、互いに並列接続される関係になる。
【００８０】
蓄電モジュールＭ-２において、容器５２の前後方向へ蓄電デバイス５０を並べると、その方向へ隣り合う蓄電デバイス間の、一方の第１正極接合面Ｘ-１と、他方の第１負極接合面Ｙ-１と、が容器同士の隣接面を境として鏡面対称となり、容器５２の左右方向へ蓄電デバイス５０を並べると、その方向へ隣り合う蓄電デバイス間の、第２負極接合面Ｙ-２同士または第１正極接合面Ｘ-２同士と、が容器同士の隣接面を境として鏡面対称となるため、蓄電デバイス５０を前後左右へ並べるのみで容器５２の前後方向へ異極同士の接合面および容器５２の左右方向へ同極同士の接合面が重なり合うようになる。
【００８１】
これら接合は、溶接（例えば、スポット溶接）に拠ると、金属板（電極端子５３を形成する）の２枚重ねの溶接となるため、３枚ずつの溶接となる従来の場合に較べると、溶接に伴う蓄電セル５０の蓄電要素５１への伝熱との関係から、電極端子５３の外部へ引き出される部分に要求される余分長を大きく取られずに済む。また、２枚重ねの溶接により、良好な安定した溶接部が得やすくなる。また、電極端子５３の外部へ引き出される部分に要求される余分長を大きく取られずに済み、蓄電デバイス間および蓄電デバイス群間の接続にバスバーが要らないため、所要数の蓄電セルを繋ぐ直列経路（充放電時の通電経路）が効率よく短縮され、充放電時の電力ロス（発熱損）を大幅に低減することができる。
【００８２】
図９において、Ｒ’は蓄電セルの電極端子の抵抗であり、各ａ点，各ｂ点は、電極端子５３の第２正極接合面Ｘ-２同士または第２負極接合面Ｙ-２同士の接合により、電極端子５３間が同電位に保たれる。各ｃ点は、電極端子５３の第１正極接合面Ｘ-１と第１負極接合面Ｙ-１との異極同士の接合のみとなる。従って、容器５２の前後方向へ２個の蓄電セル５０が直列に接続されるもの（組）が、容器５２の左右方向へ２組並列に接続される構成（最小単位回路）となり、この場合、最小単位回路Ｓ（図中の円形内の構成）が容器５２の前後方向へ３つ直列に接続される。
【００８３】
最小単位回路間においても、正極端子同士の連接面（Ａの第１正極接合面とＢの第１正極接合面との連続する接合面）と、負極端子同士の連接面（Ａの第１負極接合面とＢの第１負極接合面との連続する接合面）と、が前後方向へ隣り合う容器同士の隣接面を境として鏡面対称となる。
【００８４】
各最小単位回路Ｓにおいては、Ａ-Ｂの直列経路（小楕円で括られる）の両端電圧と、Ｂ-Ａの直列経路（小楕円で括られる）の両端電圧と、が平準化（均等化）されるので、充放電などに伴う蓄電デバイスの端子電圧のばらつきが小さく抑えられるのである。
【００８５】
第２正極接合面同士または第２負極接合面同士の接合部は、Ａ-Ｂの直列経路の両端電圧とＢ-Ａの直列経路の両端電圧との間に電位差が生じると、電位の高い方から低い方へ電流が流れるが、両者の電位が同一であれば、電流は流れることがなく、両者の電位差によって流れる電流も極く小さいため、電極端子５３の第２正極接合面同士または第２負極接合面同士の接合部の抵抗を入れずに蓄電デバイスの内部抵抗ＲXを除く合成抵抗Ｒ２を計算すると、Ｒ２＝６・Ｒ’となる。
【００８６】
本願の合成抵抗Ｒ１を従来の合成抵抗Ｒ０（図、参照）と比較すると、本願の電極端子５３の抵抗Ｒ’は、従来の電極端子１１３の抵抗ＲAよりも小さく、かつ、従来のバスバーの抵抗（４・ＲC＋４ＲD＋ＲE）も不要となる。これらの結果、本願の合成抵抗Ｒ２は、従来の合成抵抗Ｒ０よりも格段に低減できることになる。蓄電デバイス５０が出力密度の高い電気二重層キャパシタにおいては、合成抵抗Ｒ１の大幅な低減により、充放電に伴う電力ロスおよび充放電に伴う発熱量の低減にもたらす効果が大きい。
【００８７】
最小単位回路Ｓにおいては、図１０，図１１に示すように、２個の蓄電セル５０が直列接続されるＡ-Ｂ間と、２個の蓄電セル５０が直列接続されるＢ-Ａ間と、を接続する導電部材２２を用いることが考えられる。導電部材２２により、Ａ−Ｂにおける電極端子５３の異極同士の接合部と、Ｂ-Ａにおける電極端子５３の異極同士の接合部と、の間が同電位に保たれる。言い換えれば、図１１の楕円の小円で括られるＡとＢとの端子電圧が平準化（均等化）されるため、図８，図９の場合に較べると、充放電などに伴う蓄電セルの端子電圧のばらつきが小さく抑えられるのである。
【００８８】
図１２〜図１８は、第２実施形態の変形例を示すものであり、図１２の蓄電モジュールＭ-３は、蓄電容量を高めるため、蓄電デバイス群が３列に構成される。図１３の蓄電モジュールＭ-４は、さらに蓄電容量を高めるため、蓄電デバイス群が４列に構成される。
【００８９】
蓄電モジュールＭ-３は、図８，図９の蓄電モジュールＭ-２（以下、単に標準モジュールＲＭと称す）に蓄電デバイス群６０ａが１列増やされる。蓄電デバイス群６０ａは、２種類の蓄電デバイス５０（蓄電セル）が容器５２の前後方向へＡ-Ｂ-Ａ-Ｂ-Ａ-Ｂに並べられ、標準モジュールＲＭの左面に蓄電デバイス群６０ａ（追加の蓄電デバイス群）の右面が重なり合うように配置される。
【００９０】
標準モジュールＲＭと蓄電デバイス群６０ａとの隣接面（標準モジュールＲＭの左面と蓄電デバイス群６０ａの右面との重なり合う面）においても、両者の電極端子５３の接合面同士は、鏡面対称になるため、これらの間の接合も簡単に効率よく行える。
【００９１】
図１２において、７１は蓄電デバイス群６０ａの前後方向の両端に位置する電極端子５３と、標準モジュールＲＭの各蓄電デバイス群６０の前後方向の両端に位置する電極端子５３の同極同士の接合部と、の間をそれぞれ同極同士に接続するバスバーであり、これらの接合についても、２枚重ねの溶接で済むため、簡単に効率よく処理することができる。
【００９２】
図１３の蓄電モジュールＭ-４は、標準モジュールＲＭが２つ組み合わされる。標準モジュールＲＭ-１の左面または右面に標準モジュールＲＭ-２の右面または左面が重なり合うように配置され、標準モジュールＲＭ同士の隣接面（図示の場合、標準モジュールＲＭ-１の左面と標準モジュールＲＭ-２の右面との重なり合う面）においても、両者の電極端子５３の接合面同士が鏡面対称になる。７２は各標準モジュールＲＭの前後方向の両端に位置する電極端子５３の同極同士の接合部をそれぞれ接続するバスバーである。
【００９３】
図１４は、蓄電モジュールＭ-４の回路構成を示すものであり、Ｒ’は蓄電セル５０の電極端子５３の抵抗であり、ＲE’はバズバー７２の抵抗である。
【００９４】
各標準モジュールＲＭは、複数（この例においては、３つ）の最小単位回路Ｓ（図中の円形内の構成）を備えるが、ＲＭ-１とＲＭ-２との接合により、ＲＭ-１の前後方向へ並ぶ２つ最小単位回路Ｓと、ＲＭ-２の前後方向へ並ぶ２つの最小単位回路Ｓと、の間にこれら最小単位回路Ｓの蓄電セル５０を１個ずつ共有する最小単位回路Ｓが出来る。このため、最小単位回路Ｓに働く電圧の均等化（平準化）が最小単位回路Ｓの範囲を超えて連鎖するようになる。
【００９５】
各最小単位回路Ｓにおいて、２個の蓄電セル５０が直列接続される組同士の両端電圧が平準化（均等化）されるが、１個の蓄電セル５０に注目すると、複数の最小単位回路Ｓに働く電圧の平準化（均等化）作用を受け、また、複数の最小単位回路Ｓに働く電圧の平準化作用に影響を与えるので、この連鎖がＭ-４全体に及べば、蓄電セル個々の端子電圧を均等化（平準化）することも可能となる。
【００９６】
図１５は、別の変形例を示すものである。蓄電モジュールＭ-５は、２つの標準モジュールＲＭから構成される。これら標準モジュールＲＭ-１，ＲＭ-２は、設置面を半減させるため、上下２段に配置される。各標準モジュールＲＭは、各電極端子５３の突出面を上向きに上下方向へ平行移動させる形に組み立てられ、上下２段の標準モジュールＲＭにおいて、右面に表れる電極端子５３の異極同士の連接面（第２正極接合面Ｘ-２と第２負極接合面Ｙ-２との連続面）Ａ〜Ｃ同士が垂直方向へ延びるバスバー７３ａを介して接続され、左面に表れる電極端子５３の異極同士の連接面Ｄ〜Ｆ（第２正極接合面Ｘ-２と第２負極接合面Ｙ-２との連続面）同士が垂直方向へ延びるバスバー７３ｂを介して接続される。
【００９７】
各標準モジュールＲＭにおいて、前面に表れる電極端子５３の同極同士の連接面（第１負極接合面Ｙ-１と第１負極接合面Ｙ-１との連続面）同士が垂直方向へ延びるバスバー７４ａを介して接続され、後面に表れる電極端子５３の同極同士の連接面（第１正極接合面Ｘ-１と第１正極接合面Ｘ-１との連続面）同士が垂直方向へ延びるバスバー７４ｂを介して接続され、これらのバズバー７４ａ，７４ｂにより、蓄電モジュールＭ-５の外部端子が形成される。
【００９８】
図１６は、蓄電モジュールＭ-５の回路構成を示すものであり、各標準モジュールＲＭは、複数（この例においては、３つ）の最小単位回路Ｓ（図中の円形内の構成）を備えるが、電極端子５３の連接面Ａ〜Ｃ同士および連接面Ｄ〜Ｆ同士をそれぞれ接続するバスバー７３ａ，７３ｂにより、ＲＭ-１の前後方向へ並ぶ２つ最小単位回路Ｓと、ＲＭ-２の前後方向へ並ぶ２つの最小単位回路Ｓと、の間にこれら最小単位回路Ｓの蓄電セル５０を１個ずつ共有する最小単位回路ＳがＭ-５の両側に出来るため、最小単位回路Ｓの範囲を超えて連鎖する電圧の均等化（平準化）作用をＭ-５全体へ及ぼすことができる。
【００９９】
なお、Ｍ-５を構成する蓄電セル個々の端子電圧５３を均等化するため、導電部材（図１０の２２、参照）により、最小単位回路Ｓの蓄電セル間（Ａ-Ｂ間とＢ-Ａ間）同士を接続することも考えられる。
【０１００】
図１６において、Ｒ’は蓄電セル５０の電極端子の抵抗であり、Ｍ-５の合成抵抗は、Ｍ-２（図２０、参照）と較べると、蓄電デバイス群６０の数が増える分、格段に小さくなる。
【０１０１】
バスバー７３ａ、７３ｂについては、各連接面Ａ〜Ｃ同士、各連接面Ｄ〜Ｆ同士を同電位に接続するものであり、抵抗の許容範囲において、配線が簡便な、小径断面の電線（図の導電部材２２）に置き換えることも可能となる。
【０１０２】
図１７は、別の変形例を示すものであり、蓄電モジュールＭ-６は、２つの標準モジュールＲＭから構成される。これら標準モジュールＲＭ-１，ＲＭ-２は、体積効率の向上（単位体積あたりの蓄電容量のアップ）を図るため、電極端子５３の突出する面が向かい合わせに組み合わされる。
【０１０３】
ＲＭ-１の電極端子５３の突出端面と、ＲＭ-２の電極端子５３の突出端面と、はこれらの向かい合わせ面を境として鏡面対称に配置され、電極端子の連接面Ａ〜Ｃ同士および連接面Ｄ〜Ｆ同士がバスバー７４を介して接続される。７５はＭ-６の前後の電極端子５３の同極同士の連接面間を接合するバスバーであり、Ｍ-６の外部端子を形成する。
【０１０４】
蓄電モジュールＭ-６は、２つの標準モジュールＲＭが電極端子５３の突出する面を向かい合わせに組み合わされるので、バスバー７４，７５も短くて済み、体積効率の向上が得られる。
【０１０５】
図１５のバスバー７３ａ、７３ｂおよび図１７のバスバー７４については、各連接面Ａ〜Ｃ同士、各連接面Ｄ〜Ｆ同士を同電位に接続するものであり、抵抗の許容範囲において、配線が簡便な、小径断面の電線（図の導電部材２２）に置き換えることも可能となる。
【０１０６】
図１３〜図１７において、標準モジュールＲＭは、図８の蓄電モジュールＭ-２が使用されるが、図１２の蓄電モジュールＭ-３を標準モジュールＲＭ’として、図１８のように上下２段の蓄電モジュールＭ-７を構成することも考えられる。
【産業上の利用可能性】
【０１０７】
この発明に係る電極端子の配置構成および接続構成は、電気二重層キャパシタやリチウム電池に適用が限定されるものでなく、充放電が繰り返し可能な各種の蓄電デバイスへ広く適用可能となる。
【符号の説明】
【０１０８】
１０，５０  蓄電デバイス
１３，５３  電極端子
Ｍ-１〜Ｍ-７  蓄電モジュール
Ｘ  正極接合面
Ｙ  負極接合面
Ｘ-１  第１正極接合面
Ｙ-１  第１負極接合面
Ｘ-２  第２正極接合面
Ｙ-２  第２負極接合面
２２  導電部材
【図２】
2011129675.tif 000003
【図７】
2011129675.tif 000004
【図１】
2011129675.tif 000005
【図３】
2011129675.tif 000006
【図４】
2011129675.tif 000007
【図５】
2011129675.tif 000008
【図６】
2011129675.tif 000009
【図８】
2011129675.tif 000010
【図９】
2011129675.tif 000011
【図１０】
2011129675.tif 000012
【図１１】
2011129675.tif 000013
【図１２】
2011129675.tif 000014
【図１３】
2011129675.tif 000015
【図１４】
2011129675.tif 000016
【図１５】
2011129675.tif 000017
【図１６】
2011129675.tif 000018
【図１７】
2011129675.tif 000019
【図１８】
2011129675.tif 000020
【図１９】
2011129675.tif 000021
【図２０】
2011129675.tif 000022
【図２１】
2011129675.tif 000023
【図２２】
2011129675.tif 000024